(57)【要約】【課題】  ユーザの意に反して必要なデータが上書き消去されることなく、ユーザの意図したテープ位置からの記録を可能とした記録装置を提供する。  【解決手段】  記録停止時におけるテープ状記録媒体の停止位置を示す停止位置情報を記憶する最終記録位置メモリ７と、最終記録位置メモリ７に記憶された停止位置情報とテープ状記録媒体の現在の位置とを比較し、停止位置と現在のテープ状記録媒体の位置が異なっている場合に所定の警告情報を表示手段８に表示するシステムコントローラ１４とを具備することで、上記課題を解決する。  を備える記録装置。【選択図】  図１  
2005174376.tif 000002
【特許請求の範囲】
【請求項１】
情報信号をテープ状記録媒体に記録する記憶装置であって、
記録停止時における前記テープ状記録媒体の停止位置を示す停止位置情報を記憶する記憶手段と、
前記記憶手段に記憶された前記停止位置情報と前記テープ状記録媒体の現在の位置とを比較し、前記停止位置と現在のテープ状記録媒体の位置が異なっている場合に所定の警告情報を表示手段に表示する制御手段と、
を備える記録装置。
【請求項２】
前記制御手段は、前記警告情報を表示した後のエンドサーチ指示に従い、前記テープ状記録媒体における前記記録停止位置を検索して待機するよう前記記録手段を制御することを特徴とする請求項１記載の記録装置。
【請求項３】
前記制御手段は更に、前記エンドサーチの指示により前記テープ状記録媒体が前記記録位置における待機状態となるまで、前記記録手段による情報信号の記録を禁止することを特徴とする請求項２記載の記録装置。
【発明の詳細な説明】
【技術分野】
【０００１】
本発明は、記録装置に関し、情報信号をテープ状記録媒体に記録する装置に関する。
【背景技術】
【０００２】
小型の磁気テープを用いて画像や音声を記録するカメラ一体型ＶＴＲが普及している。このようなカメラ一体型ＶＴＲの使用目的としては、子供の成長やイベントの記録などが多く、撮影の途中でテープを巻き戻して記録を確認することが多い。再度、記録を行う場合は、既に記録されたデータが意に反して上書き消去されないためにも、撮影終了位置に合わせる「最終記録位置検索」をしなければならない。  
【０００３】
その方法としては、ユーザがＶＴＲモードにしてテープを再生しながら撮影終了位置に合わせる方法が一般的であるが、スイッチを押下すると自動的に最終記録位置を検索することのできる「エンドサーチ」が提案されている。
【０００４】
しかしながら、このようなカメラ一体型ＶＴＲは使用目的から、家庭で所有し、複数人で使用することが多いため、記録の途中で再生されたのか、最終記録位置検索されているのかを知ることが困難であることが多く、ユーザは最終記録位置検索すべき状況であることを認識できずに、そのまま記録してしまうことが多い。その結果、再生した時にはじめて最終記録位置検索されていなかったことに気づくという問題点があった。
【０００５】
このような場合、「自動エンドサーチモード」のように、録画待機状態にすると同時にエンドサーチを開始する方法が特許文献１に開示されている。
【特許文献１】特開２００１−３２０６６１号
【発明の開示】
【発明が解決しようとする課題】
【０００６】
しかしながら、特許文献１のように、強制的にエンドサーチを行うシステムの場合、自動エンドサーチモードの解除を忘れてしまうと、意図して上書き消去したい場合に、意に反してエンドサーチされてしまうという不便さが有った。
【０００７】
そこで本発明は、ユーザの意に反して必要なデータが上書き消去されることなく、ユーザの意図したテープ位置からの記録を可能とした記録装置を提供することを目的とする。
【課題を解決するための手段】
【０００８】
上記課題を解決するために本発明は、情報信号をテープ状記録媒体に記録する記憶装置であって、記録停止時における前記テープ状記録媒体の停止位置を示す停止位置情報を記憶する記憶手段と、前記記憶手段に記憶された前記テープ状記録媒体の停止位置情報と前記テープ状記録媒体の現在の位置とを比較し、前記停止位置と現在のテープ状記録媒体の位置が異なっている場合に所定の警告情報を表示手段に表示する制御手段とを備える。
【発明の効果】
【０００９】
本発明によれば、記録前にエンドサーチの実施をユーザへ促し、エンドサーチを実行する／しないの選択を行うまで記録を実行しないことで、ユーザの意に反して必要なデータが上書き消去されることなく、ユーザの意図したテープ位置からの記録を可能とすることができた。
【発明の最良の実施形態】
【００１０】
以下に本発明の実施例について説明する。
【実施例１】
【００１１】
以下に、本発明の第１の実施例を図１〜図８に基づき説明する。
＜システム構成＞
図１は、本実施の形態であるカメラ一体型デジタルＶＴＲのシステム構成を示すブロック図である。このカメラ一体型ＶＴＲは、カメラモードで撮像して得たビデオ信号をデジタル化し、例えばＤＣＴ変換を用いたデータ圧縮を行い、回転ヘッドにより磁気テープに記録するデジタルＶＣＲの構成とされている。また、再生用のＶＴＲモードでは、磁気テープに記録した画像を内蔵の表示装置や外部の表示装置へ画像信号を出力することができる。
【００１２】
図１において、１はカメラ、２は画像処理回路、３はメカデッキ、４は磁気テープ、５はメカコントローラ、８は表示装置、１８はスピーカ、１４は制御手段であるシステムコントローラである。カメラ１で撮影された信号は、画像処理回路２で圧縮を行い、メカデッキ３に装着された磁気テープ４へ記録する。メカの制御はメカコントローラ５で行う。また、画像処理回路２では、各種付加情報の生成も行っている。システムコントローラ１４の中には、記憶手段であるトラックアドレスメモリ６や最終記録位置メモリ７、フラグチェック部１５、アドレスコンパレータ１６がある。画像処理回路２から得た現在のテープ位置のトラックアドレスがトラックアドレスメモリに書き込まれる。最終記録位置メモリ７は、最後に記録されたトラックアドレス等を記録するメモリである。なお、最終記録位置メモリ７は、電源のオン／オフを経由してもメモリ内容が揮発しないよう、ＥＥＰＲＯＭなどの不揮発メモリ素子を使用するか、ＳＲＡＭなどの揮発性メモリ素子を使用する場合は、電池などでバックアップしなければならない。また、フラグチェック部１５では、最終記録位置メモリ７に記録された情報が有効であるかどうかを示すフラグをチェックする。アドレスコンパレータ１６は、最終記録位置メモリ７に記録されたアドレスとアドレスメモリの差分を計算する。表示装置８には記録画や再生画、システムの状態などは適宜表示するためのＬＣＤ／ＥＶＦなどで構成されている。スピーカ１８は、再生の音声やシステムの状態を音声にて通知するのに用いる。９は、カメラモード、ＶＴＲモード、パワーオフを選択するためのモードスイッチである。１０は、メニューなどの選択を行う際、表示装置８に表示されたポインタと連動して動作する選択スイッチであり、上下二方向の選択が可能である。また、押し込むことで決定することが可能である。１１はテープ取り出しスイッチであり、テープ収納用のフタを開けることで自動的に押される構造になっている。１２は録画待機スイッチであり、ＶＴＲモードでライン入力等による記録を行う際に本スイッチを押下し録画待機状態へ遷移させた後に、図には示していない待機解除スイッチを押下することで、実際の記録が開始する。１３はエンドサーチスイッチで、本ＳＷを押下することで、エンドサーチを直接指示することが可能である。
＜最終記録位置メモリデータフォーマット＞
図２は、最終記録位置メモリ７のデータフォーマット詳細である。２１は記録最終位置のトラックアドレスであるＴｅデータである。２０はＴｅ有効フラグである。フラグチェック部１５がＴｅ有効フラグを確認することで、最終記録位置メモリ７のデータが有効であるかどうかを判断することができる。
＜録画ストップ＞
図３は、録画ストップ時のシステムコントローラ１４の処理を示すフローチャートである。ユーザから、システムコントローラ１４が録画ストップの命令を受けると、システムコントローラ１４は記録最終位置のトラックアドレス（Ｔｅ）を取得する。Ｔｅ有効フラグをオンにして、最終記録位置メモリ７の更新を行う（Ｓ０）。次に、システムコントローラ１４はメカコントローラ５ヘ、つなぎ撮りのための頭出し動作指示（Ｓ１）を行い、次いで録画待機状態（レックポーズ）で停止指示を行う。（Ｓ２）
＜エンドサーチ＞
図４は、エンドサーチ時のシステムコントローラ１４の処理を示すフローチャートである。エンドサーチが始まると、システムコントローラ１４は、最終記録位置メモリ７のデータを取得（Ｓ３）し、Ｔｅ有効フラグからＴｅデータが有効であるか判断する（Ｓ４）。Ｔｅ有効フラグがオフ（無効）の時は（Ｓ５）、図５に示すメッセージ１を表示して処理を終了する。Ｔｅ有効フラグがオン（有効）のときは、つなぎ撮りの際に画像が途切れないように設けられた数フレームのオーバラップ量（Ｔｏ）および、実記録までの助走量（Ｔｒ）を考慮した検索目標トラックアドレスＴｔを算出する（Ｓ６）。Ｔｔのアドレス計算式を（数式１）に示す。
【００１３】
Ｔｔ  ＝  Ｔｅ − Ｔｏ − Ｔｒ ・・・（数式１）
次に、算出したＴｔを検索するようにシステムコントローラ１４はメカコントローラ５へ命令（Ｓ７）し、メカコントローラ５は、テープ内のＴｔと一致するトラックを検索する（詳細は省略）。メカコントローラ５から検索終了の応答が有るまで待機し、応答があれば処理を終了する（Ｓ８）。
＜カセットイン＞
図６は、テープ装着動作（カセットイン）時のシステムコントローラ１４の処理を示すフローチャートである。メカデッキ３にテープがセットされたことをシステムコントローラ１４が検出すると、システムコントローラ１４はメカコントローラ５ヘカセットローディング命令（Ｓ３４）を発行し、最終記録位置メモリ７の内容をクリア（Ｔｅ有効フラグをクリア）する。メモリの内容をクリアすることで、以前に使用していたテープの最終記録位置の情報は消失してしまう。
＜記録待機指示＞
カメラ一体型ＶＴＲには、一般的にパワーオフ以外に主に２種類のモードに分類でき、モードスイッチ９にてユーザが選択した状態をシステムコントローラ１４が判断し、各モードへ状態遷移する。一方は記録専用のカメラモードであり、他方が再生中心のＶＴＲモードである。
【００１４】
カメラモードの場合、カメラ画を入力ソースとする記録専用モードであるため、記録可能なテープが装着されていれば、同モードに遷移すると同時に、システムコントローラ１４はメカコントローラ５ヘ、録画待機状態（レックポーズ）へ遷移するよう命令する。
【００１５】
ＶＴＲモードの場合は、再生が主な使用目的であるが、ライン入力やＤＶ端子からのデジタル入力等、様々な入力ソースを記録することが出来る。この場合は、ユーザが録画待機スイッチ１２を押下すると、システムコントローラ１４はメカコントローラ５ヘ、録画待機状態（レックポーズ）へ遷移するよう命令する。
【００１６】
ユーザ操作によって、装置が録画待機指示を受けた場合、システムコントローラ１４の処理を図７のフローチャートへ示す。
（エンドサーチ必要有無チェック）
ユーザから録画待機指示（レックポーズ）を受け付けると、システムコントローラは最終記録位置メモリ７の内容を取得（Ｓ９）し、Ｔｅ有効フラグでデータの有効性を判定（Ｓ１０）する。フラグがオフ（無効）の時の処理（Ｓ１１）は、図５に示すメッセージ１を表示して処理を終了する。Ｔｅ有効フラグがオン（有効）のときは、メカコントローラ５ヘ録画待機状態（レックポーズ）で待機するように命令（Ｓ１２）し、前述した計算式（数式１）でＴｔを算出（Ｓ１３）する。メカが録画待機状態になるのを待ち（Ｓ１４）、録画待機状態になった地点のトラックアドレスＴｃを取得、ＴｅとＴｃをアドレスコンパレータで比較する（Ｓ１６）。Ｔｅ−Ｔｃ＝Ｔｒ＋Ｔｏの時はエンドサーチが完了していると判断し、実記録のためのスイッチを受付可能にする。Ｔｅ−Ｔｃ≠Ｔｒ＋Ｔｏの場合、システムコントローラ１４はエンドサーチが必要と判断する。
（エンドサーチ実行する／しないの選択）
システムコントローラ１４はエンドサーチを必要と判断した場合、スピーカへ警告音を発生させるとともに、表示装置８へ図８に示すメニュー２を表示（Ｓ１７）する。Ｇ１はユーザへのメッセージであり、Ｇ２及びＧ３は、選択スイッチで選択可能である。図８はＧ２の「はい」が選択されている状態を示しており、選択スイッチを押し込むことで決定され、「はい」で決定（Ｓ１８）した場合は、エンドサーチを実行（Ｓ２０）、「いいえ」で決定（Ｓ１９）した場合はそのまま処理を終了し、実記録のためのスイッチを受付可能にする。
【実施例２】
【００１７】
以下に、本発明の第２の実施例を図９〜図１３に基づき説明する。この第２の実施例は、エンドサーチが完了しているかどうかを判断するＥＳ完了フラグが設けられる実施形態である。
＜システム構成＞
この実施例２は、上述の実施例１と同様な構成となっており、図９は、本実施の形態であるカメラ一体型デジタルＶＴＲのシステム構成を示すブロック図である。
【００１８】
図９において、１はカメラ、２は画像処理回路、３はメカデッキ、４は磁気テープ、５はメカコントローラ、８は表示装置、１８はスピーカ、１４は制御手段であるシステムコントローラである。カメラ１で撮影された信号は、画像処理回路２で圧縮を行い、メカデッキ３に装着された磁気テープ４へ記録する。メカの制御はメカコントローラ５で行う。また、画像処理回路２では、各種付加情報の生成も行っている。システムコントローラ１４の中には、記憶手段であるトラックアドレスメモリ６や最終記録位置メモリ７、フラグチェック部１５、モードチェック部１７がある。画像処理回路から得た現在のテープ位置のトラックアドレスがトラックアドレスメモリに書き込まれる。最終記録位置メモリ７は、最後に記録されたトラックアドレス等を記録するメモリである。なお、最終記録位置メモリ７は、電源のオン／オフを経由してもメモリ内容が揮発しないよう、ＥＥＰＲＯＭなどの不揮発メモリ素子を使用するか、ＳＲＡＭなどの揮発性メモリ素子を使用する場合は、電池などでバックアップしなければならない。また、フラグチェック部１５では、最終記録位置メモリ７に記録された情報が有効であるかどうかを示すフラグをチェックする。モードチェック部１７は、テープ位置が移動するモードシーケンスを実行するときに、最終記録位置メモリ７内のフラグをクリアする。表示装置８には記録画や再生画、システムの状態などは適宜表示するためのＬＣＤ／ＥＶＦなどで構成されている。スピーカ１８は、再生の音声や、システムの状態を音声にて通知するのに用いる。９は、カメラモード、ＶＴＲモード、パワーオフを選択するためのモードスイッチである。１０は、メニューなどの選択を行う際、表示装置８に表示されたポインタと連動して動作する選択スイッチであり、上下二方向の選択が可能である。また、押し込むことで決定することが可能である。１１はテープ取り出しスイッチであり、テープ収納用のフタを開けることで自動的に押される構造になっている。１２は録画待機スイッチであり、ＶＴＲモードでライン入力による記録を行う際などに本スイッチを押下し録画待機状態へ遷移させた後に、図には示していない待機解除スイッチを押下することで、実際の記録が開始する。１３はエンドサーチスイッチで、本ＳＷを押下することで、エンドサーチを直接指示することが可能である。
＜最終記録位置メモリデータフォーマット＞
図１０は、最終記録位置メモリ７のデータフォーマット詳細である。２１は記録最終位置のトラックアドレスであるＴｅデータである。２０はＴｅ有効フラグである。フラグチェック部１５がＴｅ有効フラグを確認することで、最終記録位置メモリ７のデータが有効であるかどうかを判断することができる。また、２２はＥＳ完了フラグであり、フラグチェック部１５がＥＳ完了フラグを確認することで、エンドサーチが完了しているかどうかを判断することができる。
＜録画ストップ＞
図１１は、録画ストップ時のシステムコントローラ１４の処理を示すフローチャートである。ユーザからシステムコントローラ１４が録画ストップの命令を受けると、システムコントローラ１４は記録最終位置のトラックアドレス（Ｔｅ）を取得する。Ｔｅ有効フラグとＥＳ完了フラグをオンにして、最終記録位置メモリ７の更新を行う（Ｓ４１）。次に、システムコントローラ１４はメカコントローラ５ヘつなぎ撮りのための頭出し動作指示（Ｓ４２）を行い、次いで録画待機状態（レックポーズ）で停止指示を行う。（Ｓ４３）
＜エンドサーチ＞
図１２は、エンドサーチ時のシステムコントローラ１４の処理を示すフローチャートである。エンドサーチが始まると、システムコントローラ１４は、最終記録位置メモリ７のデータを取得（Ｓ３）し、ＥＳ完了フラグをチェックする（Ｓ４４）。ＥＳ完了フラグがオンの時は、エンドサーチが完了していると判断し、処理を終了する。ＥＳ完了フラグがオフのときは、Ｔｅ有効フラグからＴｅデータが有効であるか判断する（Ｓ４）。Ｔｅ有効フラグがオフ（無効）の時は（Ｓ５）、図５に示すメッセージ１を表示して処理を終了する。Ｔｅ有効フラグがオン（有効）のときは、つなぎ撮りの際に画像が途切れないように設けられた数フレームのオーバラップ量（Ｔｏ）および、実記録までの助走量（Ｔｒ）を考慮した検索目標トラックアドレスＴｔを算出する（Ｓ６）。Ｔｔのアドレス計算式を（数式１）に示す。
【００１９】
Ｔｔ  ＝  Ｔｅ −Ｔｏ−Ｔｒ      （数式１）
次に、算出したＴｔを検索するようにシステムコントローラ１４はメカコントローラ５へ命令（Ｓ７）し、メカコントローラ５は、テープ内のＴｔと一致するトラックを検索する。（詳細は省略）メカコントローラから検索終了の応答が有るまで待機し、応答があれば処理を終了する（Ｓ８）。
＜カセットイン＞
図６は、テープ装着動作（カセットイン）時のシステムコントローラ１４の処理を示すフローチャートである。メカにテープがセットされたことをシステムコントローラが検出すると、システムコントローラ１４はメカコントローラ５ヘカセットローディング命令（Ｓ３４）を発行し、最終記録位置メモリ７の内容をクリア（Ｔｅ有効フラグをクリア）する。メモリの内容をクリアすることで、以前に使用していたテープの最終記録位置の情報は消失してしまう。
＜ＥＳ完了フラグのクリア＞
ユーザは、本記録再生装置に対してテープ位置が変化するような操作を行った場合、次の記録を開始するまでにエンドサーチを行う必要がある。ユーザがそのような操作を行った場合、本記録再生装置のモードチェック部がＥＳ完了フラグをクリアする。ＥＳ完了フラグをクリアする条件としては、ＶＴＲモードでのテープ再生、テープ巻き戻し、テープ早送り、またカメラモードでのエディットサーチ（テープ記録画を再生する機能）、また、各モードでのテープの取り出し等である。
＜記録待機指示＞
カメラ一体型ＶＴＲには、一般的にパワーオフ以外に主に２種類のモードに分類でき、モードスイッチ９にてユーザが選択した状態をシステムコントローラ１４が判断し、各モードへ状態遷移する。一方は記録専用のカメラモードであり、他方が再生中心のＶＴＲモードである。
【００２０】
カメラモードの場合、カメラ画を入力ソースとする記録専用モードであるため、記録可能なテープが装着されていれば、同モードに遷移すると同時に、システムコントローラ１４はメカコントローラ５ヘ、録画待機状態（レックポーズ）へ遷移するよう命令する。
【００２１】
ＶＴＲモードの場合は、再生が主な使用目的であるが、ライン入力やＤＶ端子からのデジタル入力等、様々な入力ソースを記録することが出来る。この場合は、ユーザが録画待機スイッチ１２を押下すると、システムコントローラ１４はメカコントローラ５ヘ、録画待機状態（レックポーズ）へ遷移するよう命令する。
ユーザ操作によって、装置が録画待機指示を受けた場合、システムコントローラ１４の処理を図１３のフローチャートへ示す。
（エンドサーチ必要有無チェック）
ユーザから録画待機指示（レックポーズ）を受け付けると、システムコントローラ１４は最終記録位置メモリ７の内容を取得（Ｓ９）し、ＥＳ完了フラグをチェックする（Ｓ４４）。ＥＳ完了フラグがオンのときは、システムコントローラ１４はテープが最終記録位置にいると判断し、処理を終了する。ＥＳ完了フラグがオフの場合、Ｔｅ有効フラグでデータの有効性を判定（Ｓ１０）する。フラグがオフ（無効）の時の処理（Ｓ１１）は、図５に示すメッセージ１を表示して処理を終了する。Ｔｅ有効フラグがオン（有効）のとき、システムコントローラはエンドサーチが必要と判断する。
（エンドサーチ実行する/しないの選択）
システムコントローラ１４はエンドサーチを必要と判断した場合、スピーカへ警告音を発生させるとともに、表示装置８へ図８に示すメニュー２を表示（Ｓ１７）する。Ｇ１はユーザへのメッセージであり、Ｇ２及びＧ３は、選択スイッチで選択可能である。図８はＧ２の「はい」が選択されている状態を示しており、選択スイッチを押し込むことで決定され、「はい」で決定（Ｓ１８）した場合は、エンドサーチを実行（Ｓ２０）、「いいえ」で決定（Ｓ１９）した場合はそのまま処理を終了し、実記録のためのスイッチを受付可能にする。
【図面の簡単な説明】
【００２２】
【図１】本発明に係る第１の実施例のシステムブロック図を示すものである。
【図２】本発明に係る第１の実施例の最終記録位置メモリデータフォーマットを示すものである。
【図３】本発明に係る第１の実施例の録画ストップ処理のフローチャートを示すものである。
【図４】本発明に係る第１の実施例のエンドサーチ処理のフローチャートを示すものである。
【図５】本発明に係る第１の実施例のメッセージ１の表示例を示すものである。
【図６】本発明に係る第１の実施例のカセットイン処理のフローチャートを示すものである。
【図７】本発明に係る第１の実施例の第一の実施例の、録画待機指示を受けたときのフローチャートを示すものである。
【図８】本発明に係る第１の実施例のメニュー２の表示例を示すものである。
【図９】本発明に係る第２の実施例のシステムブロック図を示すものである。
【図１０】本発明に係る第２の実施例の最終記録位置メモリデータフォーマットを示すものである。
【図１１】本発明に係る第２の実施例の録画ストップ処理のフローチャートを示すものである。
【図１２】本発明に係る第２の実施例のエンドサーチ処理のフローチャートを示すものである。
【図１３】本発明に係る第２の実施例の録画待機指示を受けたときのフローチャートを示すものである。
【符号の説明】
【００２３】
１        カメラ
２        画像処理回路
３        メカデッキ
４        磁気テープ
５        メカコントローラ
６        トラックアドレスメモリ
７        最終記録位置メモリ
８        表示装置
９        モードスイッチ
１０      選択スイッチ
１１      テープ取り出しスイッチ
１２      録画待機スイッチ
１３      エンドサーチスイッチ
１４      システムコントローラ（制御手段）
１５      フラグチェック部
１６      アドレスコンパレータ
１７      モードチェック部
１８      スピーカ
【図１】
2005174376.tif 000003
【図２】
2005174376.tif 000004
【図３】
2005174376.tif 000005
【図４】
2005174376.tif 000006
【図５】
2005174376.tif 000007
【図６】
2005174376.tif 000008
【図７】
2005174376.tif 000009
【図８】
2005174376.tif 000010
【図９】
2005174376.tif 000011
【図１０】
2005174376.tif 000012
【図１１】
2005174376.tif 000013
【図１２】
2005174376.tif 000014
【図１３】
2005174376.tif 000015